(57)【要約】【課題】メモリカードに挿抜痕を付けることなくカードを挿抜できるとともに脱抜の際の飛び出しを防止することができ、簡易な構成で且つ小型化を容易に図ることができること。【解決手段】メモリカード２００が挿入される収容部１０４の側方に、メモリカードの側面に形成された切欠部２２０に係合するロック爪部１５５を備えたスライダ１５０が前後方向に移動自在で且つカード挿入口側の位置である挿入途中位置で揺動自在に配置されている。スライダ１５０はコイルバネ１６０によって抜脱方向に付勢され、この付勢力は、スライダ１５０を上方から押圧するスライダ圧接片１２２と、カード挿入口側の位置に位置するスライダ１５０をメモリカード２００側に押圧する爪押圧片１２８とで抑制する。【選択図】図１
2010056038.tif 000002
【特許請求の範囲】
【請求項１】
カード挿入口を介して、一側面に切欠部を備えたメモリカードが抜脱自在に挿入される収容部及び前記収容部に収容された前記メモリカードの電極に接続する接続端子を有するコネクタ本体と、
前記収容部の側方で、前記メモリカードの挿入方向に沿って移動自在に配置されるとともに、前記収容部に挿入される前記メモリカードの凹部に側方から係合するロック爪部を有し、挿入される前記メモリカードとともに前記挿入方向に沿って移動して、前記収容部に収容された前記メモリカードを、前記ロック爪部と前記凹部との係合により固定するとともに、挿入途中である前記カード挿入口側の位置で水平方向に揺動して前記ロック爪部を前記凹部から係脱自在なスライダと、
前記スライダを前記挿入方向とは逆方向である抜脱方向に付勢する付勢部材と、
前記スライダを上方から押圧し、当該スライダの抜脱方向への移動を抑制する圧接部材と、
前記カード挿入口側の位置に位置する前記スライダを、水平方向で前記収容部側に押圧して、前記ロック爪部を前記収容部に挿入途中の前記メモリカードの凹部に脱着自在に係合する爪押圧部材とを有するメモリカードコネクタ。
【請求項２】
前記コネクタ本体は、前記カード挿入口、前記収容部及び前記接続端子を有するハウジングと、当該ハウジングを覆う金属製のシールドカバーとからなり、
前記圧接部材は、前記シールドカバーの上面の一部を下方に突出させてなる板バネ材であることを特徴とする請求項１記載のメモリカードコネクタ。
【請求項３】
前記コネクタ本体は、前記カード挿入口、前記収容部及び前記接続端子を有するハウジングと、当該ハウジングを覆う金属製のシールドカバーとからなり、
前記シールドカバーは、前記ハウジングを上方から覆う上面部と、前記上面部の一方の側辺から垂下され、前記ハウジング上において前記スライダに対して水平方向で前記収容部側とは逆側の位置で挿入方向に沿って配置される側面被覆部とを有し、
前記爪押圧部材は、前記側面被覆部から、前記収容部側に突設してなる板バネ材からなる請求項１記載のメモリカードコネクタ。
【請求項４】
前記スライダには、一端がハート状のカム溝であるハートカム溝部に連結された棒状のロックピンの他端が回転自在に保持され、
前記スライダは、前記挿入方向に沿って前記収容部に前記メモリカードが収容された位置に移動した際に、前記ロックピンが前記ハートカム溝部のＶ字溝部に係合することによって前記付勢部材による前記スライダの前記抜脱方向への移動が規制され、
前記ハートカム溝部は、前記コネクタ本体の内部に、前記スライダよりも挿入方向奥側で、且つ前記圧接部材よりも前記収容部に近接して設けられている請求項１記載のメモリカードコネクタ。
【請求項５】
前記スライダは、挿入されるメモリカードにより挿入方向に押圧される押圧面を有する請求項１記載のメモリカードコネクタ。
【発明の詳細な説明】
【技術分野】
【０００１】
本発明は、挿入されたメモリカードを装着位置で保持するメモリカードコネクタに関する。
【背景技術】
【０００２】
例えば、デジタルカメラで撮像された画像データを記憶する記録媒体、携帯型音楽再生機で再生される音楽デジタルデータを記憶する記録媒体、或いは、作成した文章データを記憶する記憶媒体として、カード型のメモリカードが知られている。
【０００３】
メモリカードは、一般的に、外観が薄板形状に形成された小型の樹脂製パッケージの内部にフラッシュメモリが収容されており、パッケージの端部に電気的に接続される複数の電極が並設されている。
【０００４】
このように構成されるメモリカードは、デジタルカメラ、携帯型音楽再生機、ノート型パソコン、携帯電話機等の装着される電子機器には、メモリカードコネクタを介して装着される。
【０００５】
メモリカードコネクタとしては、例えば、特許文献１に示すように、装着されたメモリカードを、脱落または引き抜かれることを防止するロック機構を有するものが知られている。
【０００６】
特許文献１のメモリカードコネクタのロック機構は、挿入口からカード収容空間に挿入されるメモリカード挿入時に同カードに押圧されて前進するスライダと、スライダに支持され、当該スライダが、カード装着位置に移動した際に、メモリカードの側面の凹部に係合して当該カード装着位置でロックするロック爪と、スライダを抜脱方向へ付勢するイジェクト用のコイルバネと、スライダに形成されたハートカムに係合してスライダを装着位置に保持するロックピンとを有する。
【０００７】
ロック爪は、スライダに、当該スライダが挿入位置側に位置した際に凹部との係止状態されるように支持されている。
【０００８】
このメモリカードコネクタでは、カード収容空間の上面を形成するプレートからカード収容空間内に突設された板バネを有し、この板バネにより、スライダが挿入位置側に位置し、ロック爪の係止状態が解除されたメモリカードを下面側に押しつけてハーフロック状態で保持する。
【特許文献１】特開２００３−８６２９３号公報
【発明の開示】
【発明が解決しようとする課題】
【０００９】
しかしながら、従来のメモリカードコネクタでは、係止状態が解除されたメモリカードを、収容空間を仕切るプレートの板バネにより押圧しているため、当該メモリカードの挿抜に際し、メモリカード自体に押圧痕（傷）が残るという問題がある。
【００１０】
また、メモリカードの小型化によりメモリカード自体が薄くなる場合、従来のようにロック爪をカード装着位置にてメモリカードに係合するようにスライダに支持させる構成にすることが困難であるという問題がある。これにより、小型化されたメモリカードに伴って小型化されるメモリカードコネクタの構成は、組立性の向上或いはコスト削減の観点から、極力簡略化することが望まれている。
【００１１】
例えば、矩形板状をなし、外形寸法を11mm×15mm×1mmとした非常に小型のメモリカードを装着するものとして、カード挿抜の際にカード自体に押圧痕を付けることなく、ロック爪とスライダとコイルバネとロックピンを含むロック機構の構成部品をより少なくしたいという要望がある。
【００１２】
本発明はかかる点に鑑みてなされたものであり、メモリカードを、挿抜痕を付けることなく挿脱できるとともに、抜脱の際の飛び出しを防止することができ、簡易な構成で容易に小型化できるメモリカードコネクタを提供することを目的とする。
【課題を解決するための手段】
【００１３】
本発明のメモリカードコネクタの一つの態様は、カード挿入口を介して、一側面に切欠部を備えたメモリカードが抜脱自在に挿入される収容部及び前記収容部に収容された前記メモリカードの電極に接続する接続端子を有するコネクタ本体と、前記収容部の側方で、前記メモリカードの挿入方向に沿って移動自在に配置されるとともに、前記収容部に挿入される前記メモリカードの凹部に側方から係合するロック爪部を有し、挿入される前記メモリカードとともに前記挿入方向に沿って移動して、前記収容部に収容された前記メモリカードを、前記ロック爪部と前記凹部との係合により固定するとともに、挿入途中である前記カード挿入口側の位置で水平方向に揺動して前記ロック爪部を前記凹部から係脱自在なスライダと、前記スライダを前記挿入方向とは逆方向である抜脱方向に付勢する付勢部材と、前記スライダを上方から押圧し、当該スライダの抜脱方向への移動を抑制する圧接部材と、前記カード挿入口側の位置に位置する前記スライダを、水平方向で前記収容部側に押圧して、前記ロック爪部を前記収容部に挿入途中の前記メモリカードの凹部に脱着自在に係合する爪押圧部材とを有する構成を採る。
【発明の効果】
【００１４】
以上説明したように、本発明によれば、メモリカードコネクタにおいて、メモリカードを、挿抜痕を付けることなく挿脱できるとともに、カードの抜脱の際の飛び出しを防止することができ、コネクタ自体を簡易な構成にして容易に小型化できる。
【発明を実施するための最良の形態】
【００１５】
以下、本発明の実施の形態について、図面を参照して詳細に説明する。
【００１６】
図１は、本発明の一実施の形態に係るメモリカードコネクタの構成を示す斜視外観図である。なお、図１は、便宜上、メモリカードコネクタの上面部分を透視した状態を示している。また、本実施の形態のメモリカードコネクタでは、後述するように、スライダ１５０を付勢するコイルバネ１６０（図２参照）を有しているが図１では省略している。
【００１７】
図１に示すメモリカードコネクタ（以下。「コネクタ」という）１００は、平面視略矩形状の薄板状をなし、内部にカード挿入口１０２から抜脱自在に挿入されるメモリカード２００を収容する収容部１０４を備える。
【００１８】
なお、メモリカード２００は、種類ごとに決められた寸法、形状に形成されているため、本実施の形態のメモリカードコネクタ１００では、使用されるメモリカードの寸法、形状に対応しているものとする。
【００１９】
ここでは、メモリカードコネクタ１００に装着されるメモリカード２００は、矩形板状をなし、外形寸法を11mm×15mm×1mmとし、先端側の横幅を後端側の横幅11mmよりも狭くして下面に複数の電極が配置されたものとする。
【００２０】
また、本実施の形態のコネクタ１００に装着されるメモリカード２００では、一方の側面（メモリカード２００からみて挿入方向を先端側とした右側面）に側方に開口する切欠部２２０が形成されている。また、メモリカード２００の一方の側面には、切欠部２２０の先端側の側壁部分を構成する突起部２３０が形成されている。この突起部２３０の先端側の外面は、メモリカード２００の先端側から基端側に向かって右側方に立ち上がる傾斜面２３１となっている。
【００２１】
コネクタ１００のコネクタ本体は、絶縁性を有する材料（ここでは、絶縁性の合成樹脂材）で形成された矩形状のハウジング１１０に、両側部がＬ字状に折り曲げられた導電性を有する材料（ここでは、金属板）で形成されたシールドカバー１２０を被せることで形成されている。
【００２２】
図２は、本発明の一実施の形態に係るメモリカードコネクタにおいてシールドカバーを外した状態のハウジングの平面図、図３は図２に示すハウジングの右側面図、図４は図２に示すハウジングの左側面図、図５は図２に示すハウジングの背面図である。
【００２３】
図２〜図５に示すように、ハウジング１１０は、コンタクト１３０が配設された平面視略矩形状の底板部１１２と、底板部１１２においてカード挿入口１０２の開口縁となる前側辺部１１２ａと隣り合う両側辺部から立設し互いに対向して離間する案内側壁部１１３及び側壁部１１４と、底板部１１２においてカード挿入口１０２と反対の後側端辺部から立設する後端壁部１１５とを有する。
【００２４】
図２に示すように、底板部１１２には、側壁部１１４に沿って、挿入方向に沿って移動自在なスライダを備えるロック機構部１４０が配設されている。また、このロック機構部１４０と案内側壁部１１３との間には、挿入されるメモリカード（以下、単に「カード」ともいう）２００の他方の側面に対向するとともにスライダ１５０の後端部が当接する案内小壁部１１６が設けられている。
【００２５】
案内小壁部１１６は、ここでは、案内側壁部１１３の内面と平行に配置され、挿入されたカードの側面に対向し、当該カードの位置を側方から規制する対向面と、対向面と直交して配置され、最も最深部分まで後方に移動したスライダ１５０が当接する当接面とを備える。
【００２６】
なお、この案内小壁部１１６は、収容部１０４にカード２００（図１参照）を挿入する際に、ロック機構部１４０のハートカム溝部１８０への挿入を規制する。
【００２７】
これら案内側壁部１１３、底板部１１２、ロック機構部１４０において案内側壁部１１３と対向する部分及び案内小壁部１１６によって、ハウジング１１０の上面側に開放した凹状を形成し、収容部１０４の両側面及び底面を構成している。
【００２８】
後端壁部１１５は、挿入により収容部１０４に収容されたカード２００の先端部と近接して対向して配置され、当該収容部１０４に挿入されるカード２００の挿入方向への移動を規制する。
【００２９】
後端壁部１１５の略中央部分には、収容部１０４と挿入方向に連通する開口１１５ｅが形成され、この開口１１５ｅ両側に、ハウジング１１０の後端側角部をそれぞれ形成する壁部１１５ａ、１１５ｂが配置されている。
【００３０】
これら壁部１１５ａ、１１５ｂのうちロック機構部１４０側の壁部１１５ｂには、底板部１１２上に立設され前方に突出する案内片１１５ｃが形成されている。
【００３１】
案内片１１５ｃは、底板部１１２上において、挿入方向に沿って配置されたロック機構部１４０よりも案内側壁部１１３側に近い位置に配置され、カード２００の先端側の一側縁部を収める。ここでは、挿入されるメモリカード２００の形状に対応して、案内側壁部１１３との間隔は、案内側壁部１１３とロック機構部１４０との間隔よりも狭くなるように配置されている。
【００３２】
これら案内側壁部１１３と案内片１１５ｃによって、カード２００の先端側の横幅は規制される。これにより、カード２００の電極と、底板部１１２に配設されたハウジング側のコンタクト１３０との位置合わせを正確に行うことができる。
【００３３】
コンタクト（カンチレバーコンタクト等）１３０は、ハウジング１１０の底板部１１２に、接点部１３２となる先端部をカード挿入口１０２に対向させて複数配列され、収容するカード２００の電極に電気的に接触する。
【００３４】
コンタクト１３０は、ここでは、板ばね接触子からなる。コンタクト１３０は、挿入されるカード２００の挿入方向に沿って、底板部１１２の上面から後方に突出して配置され、先端が接点部１３２であるレバ部１３４を備える。レバ部１３４は、底板部１１２に、先端の接点部１３２をハウジング１１０の後端壁部１１５側で、且つ、カード２００の挿入方向と直交する方向に整列させた状態で配設されている。
【００３５】
ここでは、コンタクト１３０は、それぞれ平面視Ｖ字またはＵ字形に加工された長尺帯状の金属板を加工してなる。この金属板の折り返し部分で折り返される一辺部をレバ部１３４とし、他辺部を底板部１１２に配設される固定片１３６とし、レバ部１３４を、固定片１３６に対して表面側に折曲することによって形成されている。
【００３６】
固定片１３６は、底板部１１２に、底面に沿って配置されており、固定片１３６の基端部（コンタクト１３０の基端部）１３８は、後端壁部１１５の後端面から外方（後方）に突出している。この突出した基端部１３８は、実装基板にはんだ接合されるリード部となる。
【００３７】
コンタクト１３０は、ここでは、インサート成形によってハウジング１１０に一体的に形成されており、固定片１３６は、その基端側部分及び先端側部分（コンタクト１３０の折り返し部分）でハウジング１１０の底板部１１２に埋設されている。
【００３８】
ロック機構部１４０は、収容部１０４となる領域の側方に配置され、挿入されるメモリカードの切欠部に係合するロック爪部１５５を備えるスライダ１５０と、コイルバネ１６０と、ロックピン１７０と、ハートカム溝部１８０とを有する。
【００３９】
スライダ１５０は、収容部１０４に挿入されるカード２００の挿入方向に沿って移動自在で、且つ挿入口側の位置で揺動自在に配置され、付勢部材であるコイルバネ１６０によって、カード２００の反挿入方向（抜脱方向）側に付勢されている。
【００４０】
このスライダ１５０は、最も前側に移動した際の位置である挿入口側の位置（コネクタ１００におけるカード挿入口１０２側の位置）にて、ロック爪部１５５をメモリカード２００の切欠部２２０に係合させることによって当該カード２００を挿抜自在に保持する。この位置を以下では、ハーフロック位置もいう。
【００４１】
図６は、図２に示すハウジングにおいて、コイルバネ１６０を外した状態のハウジングの平面図であり、スライダ１５０がメモリカード２００との係合位置から退避した状態の説明に供する図である。また、図７は図６に示すハウジングの底面図である。これら図６及び図７に示すスライダ１５０は、傾倒し、ロック爪部１５５を、カード２００の切欠部２２０との係合位置から退避させた位置に配置されているものとする。
【００４２】
図６及び図７に示すように、スライダ１５０は、底板部１１２上に配置されたスライダ本体１５２を有する。
【００４３】
このスライダ本体１５２の下面には、下方に突出し、底板部１１２に形成されたスリット１１７に移動自在に遊嵌された案内突起部１５１（図７参照）が形成されている。
【００４４】
また、スライダ１５０では、スライダ本体１５２から前側に突出して頸部１５３が形成されている。この頸部１５３の先端には、カード２００の側面に形成されている切欠部２２０に出入りするロック爪部１５５が形成されている。
【００４５】
案内突起部１５１は、挿入方向（前後方向）に延在する突条をなし、スライダ本体１５２の下面において幅方向の長さよりも前前後方向に長く、ハウジング１１０において前後方向に延在するスリット１１７内をスリット１１７にガイドされつつ移動する。
【００４６】
図７に示すように、案内突起部１５１が遊嵌されたスリット１１７は、底板部１１２に、ハウジング１１０の前後方向に延在すると共に、カード挿入口１０２側の端部では、収容部１０４側とは反対側に拡がるように形成されている。
【００４７】
ここでは、スリット１１７では、カード挿入口１０２側の先端部１１７ａは、側方に向かって拡がる扇状に形成されており、この扇状部分１１７ａに案内突起部１５１が位置する場合、案内突起部１５１は基端部側を中心に揺動自在となっている。
【００４８】
また、案内突起部１５１は、スリット１１７の奥側に移動すると長穴状部分１１７ｂに沿って直線的に移動して、長穴状部分１１７ｂの奥側の端部では、左右方向とともに基端側への移動が規制される。
【００４９】
図６に戻り、スライダ１５０のロック爪部１５５は、頸部１５３の先端部から平面視三角形状に突出して形成されている。ロック爪部１５５は、後端側に向かってカード２００における矩形状の切欠部２２０と確実に係止するために、後端側の面１５５ｂは頸部の内側面に対して急な勾配が付けられており、先端側の面１５５ａは、切欠部２２０の出入りを容易にするために緩い勾配が付けられている。
【００５０】
また、スライダ１５０は、スライダ本体１５２から後方に突出し、コイルバネ１６０（図２参照）の端部が外嵌されるバネ受け突起１５７が形成されるとともに、一端部（基端部）１７２がハートカム溝部１８０に連結されたロックピン１７０の他端部（先端部）１７４を回動自在に保持するピン保持部１５６が設けられている。
【００５１】
図２に示すように、コイルバネ１６０は、圧縮コイルバネであり、他端部を後端壁部１１５ｂから前方に突出する突出部１１５ｇに外嵌させて、スライダ１５０と後端壁部１１５ｂとの間に挿入方向に沿って配置されている。
【００５２】
これにより、スライダ１５０は、常に前方に付勢され、カード２００が収容部１０４内に挿入されていない場合、最も前側の移動終了位置である挿入口側の位置で、ロック爪部１５５が収容部１０４内に突出した状態、つまり、挿入方向に沿った状態で配置される。
【００５３】
また、図６に示すピン保持部１５６には、スライダ本体１５２から収容部１０４側に突出した部位の上面に孔部が形成されている。この孔部に、丸棒の両端部が直角に折り曲げられてなるコ字状のロックピン１７０の他端部（先端部）１７４を形成する折り曲げ軸が回動自在に挿入されている。
【００５４】
このピン保持部１５６は、スライダ本体１５２の後端部における収容部１０４側の側面から収容部１０４側に突出して形成され、カード挿入口１０２側に、カード２００の突起部２３０の傾斜面２３１が当接する傾斜部１５６ａが形成されている。傾斜部１５６ａは、挿入方向と交差する斜面であり、収容部１０４に挿入されるカード２００によって挿入方向に押圧される。これにより、メモリカード２００を収容部１０４の奥側に挿入するだけで、スライダ１５０自体も追従して収容部１０４の奥側、つまり、カード２００が収容部１０４に収容された位置であるカード装着位置に移動される。
【００５５】
ロックピン１７０の一端部（基端部）１７２を構成する折り曲げ軸部は、ハートカム溝部１８０内に挿入されており、このロックピン１７０はハートカム溝部１８０の従動節となっている。これより、スライダ１５０とロックピン１７０はハートカム溝部１８０の軌跡に従動して相対変位する。
【００５６】
なお、スライダ１５０において、スライダ本体１５２の上面は、上方に配置されるシールドカバー１２０の上面１２１（図１参照）との干渉を防止するため頸部１５３、ピン保持部１５６等と比べて低くなるように形成されている。
【００５７】
図８は、ハートカム溝部１８０を説明するための図であり、ハートカム部を後方からみた部分拡大斜視図、図９は、図８に示すハートカム溝部１８０における段階的な斜面及び段部間のメモリカードコネクタの垂直方向における高さ関係を示す図である。
【００５８】
このハートカム溝部１８０の底面は、先端部１７４をスライダ１５０に回動自在に接続したロックピン１７０の基端部１７２が所定の方向へと案内されるように、段階的な複数のスロープおよび段部１８２ａ〜１８２ｆが形成されており、いわゆるハートロックカム機構を構成している。ロックピン１７０の基端部１７２がハーフロック位置から出発してハーフロック位置へ復帰するまでの各スロープ１８２ａ〜１８２ｆ間の高さ関係は、図９に示すように形成されている。
【００５９】
ここでは、スロープ及び段部１８２ａ〜１８２ｆは、当接するロックピン１７０の他端部が逆軌跡を描かないように形成されたものである。
【００６０】
図８に示すように、ハートカム溝部１８０における軌跡の出発点となる底面１８２ａは、スライダ１５０の底面と平行する平面となっている。そして、底面１８２ａから立ち上がるようにして斜面となるスロープ１８２ｂが形成されている。
【００６１】
斜面としての底面であるスロープ１８２ｂを過ぎると、底面１８２ａより高い平面を有する底面１８２ｃとなっている。底面１８２ｃを過ぎると段差となって、底面１８２ｃより低い平面を有する屈曲した底面１８２ｄとなる。
【００６２】
すなわち、ロックピン１７０の基端部１７２は、スライダ１５０がカード挿入口側位置からカード固定位置に移動する過程においては、底面１８２ｄに到達した際には、底面１８２ｃに戻ることはできない。そして、底面１８２ｄを過ぎると段差となって、底面１８２ｄより低い平面を有する底面１８２ｅとなる。
【００６３】
底面１８２ｅは、カード挿入口側に突出する平面視Ｖ字状の内壁によりＶ字溝を形成している。ロックピン１７０の基端部１７２は、スライダ１５０がカード挿入口側位置からカード固定位置に移動する過程においては、底面１８２ｅに到達した場合には底面１８２ｄに戻ることはできない。基端部１７２がＶ字溝３４の底面１８２ｅに到達した状態は、カード２００のロック状態又は装着状態である。なお、基端部１７２が底面１８２ａから底面１８２ｅに到る軌跡は往路の軌跡となる。
【００６４】
そして、コイルバネ１６０の付勢力に抗して、カード２００をコネクタ１００の奥側、つまり後側に更に挿入すると、ロックピン１７０の基端部１７２は、Ｖ字溝３４から解放されて、底面１８２ｅを過ぎると段差となって、底面１８２ｅより低い平面を有する底面１８２ｆに位置するものとなる。すなわち、底面１８２ｆに到達した基端部１７２は、底面１８２ｅに戻ることはできない。
【００６５】
更に、底面１８２ｆに連続して底面１８２ｆから立ち上がるようにしてカード挿入方側に傾斜した斜面である底面（スロープ）１８２ｇが形成されている。
【００６６】
スロープ１８２ｇの挿入口側には、スロープ１８２ｇより高い平面を有する底面１８２ｈが形成されている。この底面１８２ｈのカード挿入口１０２側には、段差が形成され、底面１８２ｈより低い平面を有する底面１８２ａが配置されている。
【００６７】
このようにハートカム溝部１８０は、底面上を摺動するロックピン１７０の接触点がハート状の平面軌跡を描きつつ、高さ方向には部分的に不可逆な軌跡を描くように形成されている。
【００６８】
また、ハートカム溝部１８０は、コネクタ１００において、収容部１０４に収容されたメモリカードの先端部と、コネクタ１００の一方の側面（カード挿入口１０２を正面視して右側の側面）に沿って、挿入方向に延在するコイルバネとの間に配置されている。
【００６９】
つまり、コネクタ１００において、ハウジング１１０上に、収容部１０４と、スライダ１５０を付勢するコイルバネ１６０及びハートカム溝部１８０を含むロック機構部１４０とが収まりよく合理的に配置されている。
【００７０】
よって、コネクタ１００では、当該コネクタ１００の横幅を、メモリカード２００自体の横幅と、ロック機構部１４０の横幅とを合わせた長さの幅に近似した長さに形成されており、小型化が図られ、実装スペースの省スペース化が図られている。
【００７１】
上記構成のハウジング１１０の底板部１１２上に配置されたスライダ１５０は、ハウジング１１０を上方から覆うシールドカバー１２０の上面１２１（図１及び図１０参照）によって、上下方向への移動を規制され、前後方向及びスリット１１７の先端部１１７ａ上での水平方向にのみ移動自在となっている。
【００７２】
図１０は、本実施の形態に係るメモリカードコネクタのシールドカバーの斜視図である。
【００７３】
シールドカバー１２０の上面１２１には、シールドカバー１２０内で挿入方向に移動するスライダ１５０に上方から圧力を加えて接触するスライダ圧接片１２２が設けられている。
【００７４】
また、シールドカバー１２０の上面１２１には、スライダ１５０に連動して移動するロックピン１７０（図２参照）に上方から圧力を加え、ハートカム溝部１８０に押し付けて、当該ハートカム溝部１８０の底面上を摺動させるピン圧接片１２４、１２６が設けられている。
【００７５】
さらに、シールドカバー１２０の側面には、挿入口近傍位置において、水平方向揺動自在に位置するスライダ１５０を収容部１０４側に押圧して、ロック爪部１５５を、カード２００の切欠部２２０に係合させる爪押圧片１２８が設けられている。
【００７６】
このスライダ圧接片１２２は、挿入方向に移動するスライダ１５０のスライダ本体１５２を常に下方に付勢し、スライダ１５０を底板部１１２に押し付けている。
【００７７】
ここでは、スライダ圧接片１２２は、シールドカバー１２０の上面１２１において、スライダ１５０の移動領域の上面部分を形成する部位を加工して、後方から前側に向かって下方に延びるように形成された板バネ材である。
【００７８】
これによりスライダ１５０は、ハウジング１１０内において、常時押圧した状態で、前後方向に移動自在に構成されている（図１参照）。
【００７９】
ピン圧接片１２４、１２６は、スライダ圧接片１２２が形成された部位の後方に位置するハートカム溝部１８０に対して上方で対向するシールドカバー１２０の上面１２１の部位を加工することにより形成されている。
【００８０】
ここでは、ピン圧接片１２４、１２６は、シールドカバー１２０の上面１２１から下方に傾斜して延出された板バネである第１ピン圧接片１２４と、第２ピン圧接片１２６とから構成されている。
【００８１】
第１ピン圧接片１２４は、ロックピン１７０を下方に押圧して、当該ロックピン１７０の基端部１７２をハートカム溝部１８０においてスロープ１８２ｂまでの底面を摺動させる。また、第２ピン圧接片１２６は、ロックピン１７０を下方に押圧して、当該ロックピン１７０の基端部１７２を底面１８２ｄ、Ｖ字状溝の底面である底面１８２ｅ、底面１８２ｅから底面１８２ａまで摺動させる。
【００８２】
つまり、これら第１ピン圧接片１２４と、第２ピン圧接片１２６のそれぞれは、下方で、ハートカム溝部１８０に沿って移動するロックピン１７０の上部に接触して、当該ロックピン１７０を上方から常にハートカム溝部１８０の底面に押圧している。
【００８３】
爪押圧片１２８は、シールドカバー１２０の側面部の一部を加工してなる長尺帯状の弾性部材、ここでは板バネにより構成されている。詳細には、爪押圧片１２８は、金属板を加工してなるシールドカバー１２０の側面部におけるカード挿入口側の部分において、後端側からカード挿入口側に向かってシールドカバー１２０の内側に突出するように切り出することで形成されている。
【００８４】
爪押圧片１２８の先端部は、内側、つまり収容部１０４側に突出するように折曲され、折曲片１２９（図１参照）の頂点部分でスライダ１５０の側面を収容部１０４側に押圧する。
【００８５】
このように、爪押圧片１２８は、カード挿入口側の位置において、コイルバネ１６０によって前方に押圧されているスライダ１５０を、収容部１０４側に押圧している。このため、カード挿入口側の位置に位置するスライダ１５０は、ロック爪部１５５を収容部１０４内に突出させた状態で、爪押圧片１２８の押圧力に抗して揺動自在に配置された状態となっている。
【００８６】
すなわち、メモリカードコネクタ１００では、コイルバネ１６０により前方に付勢されカード挿入口側の位置に位置するスライダ１５０は、スライダ圧接片１２２により下方に押圧されているとともに、爪押圧片１２８によって収容部１０４側に押圧されている。
【００８７】
よって、図１に示すようにスライダ１５０をカード挿入側の位置に位置させて、収容部１０４にカード２００を挿入すれば、弾性変形するロック爪部１５５の突端が、カード２００の切欠部２２０に係脱自在に係合する。これにより、当該カード２００を挿抜自在に保持（ハーフロック）する。
【００８８】
また、カード挿入口側に位置するスライダ１５０には、スライダ圧接片１２２が圧接されている。このため、スライダ１５０が、コイルバネ１６０の付勢力によって、収容部１０４内の最も後端側の位置であるカード保持位置からカード挿入口側の位置に戻る場合、つまり、カード排出動作時において、スライダ圧接片１２２は、主に爪押圧片１２８とともに、付勢力によるスライダ１５０の移動力を減衰させることができる。
【００８９】
このように爪押圧片１２８は、スライド圧接片１２２及びスライダ１５０のロック爪部１５５とともに、カード２００の排出時におけるカードの飛び出し防止機構を構成している。本実施の形態では、爪押圧片１２８は、スライダ１５０に対して水平方向で押圧力を与え、スライダ圧接片１２２は、スライダ１５０に対して垂直方向に押圧力を加えている。つまり、爪押圧片１２８及びスライダ圧接片１２２は、挿入方向に沿って移動するスライダ１５０に対して、挿入方向と直交する方向で押圧して、挿入方向の移動力を効果的に抑制している。
【００９０】
また、スライダ圧接片１２２及び爪押圧片１２８は、シールドカバー１２０の一部を加工することによって、シールドカバー１２０と同じ部材で形成されている。これにより、シールドカバー１２０、スライダ圧接片１２２及び爪押圧片１２８をそれぞれ別体でコネクタ１００を形成するよりも部品点数を少なくすることができる。
【００９１】
次に、上述のように構成されたメモリカードコネクタへのカード２００の着脱動作及びロック機構部１４０の動作を説明する。
【００９２】
カード２００が挿入されていないカード２００コネクタでは、スライダ１５０は、コイルバネ１６０によって、コネクタ前方に付勢されるとともに、爪押圧片１２８によって収容部１０４側に付勢されている（図１及び図２参照）。
【００９３】
これにより、底板部１１２とシールドカバー１２０の上面１２１とで上下方向への移動が規制されているスライダ１５０では、下面における案内突起部１５１がスリット１１７の前側端部に押圧されるとともに、スリット１１７の先端部１１７ａにおいて収容部１０４側に押圧される。このため、スライダ１５０は、カード挿入口１０２側の位置で、抑止ロック爪部１５５を収容部１０４内に突出させた状態で、収容部と逆側に水平方向に揺動自在に配置される（図２参照）。
【００９４】
また、このとき、ハートカム溝部１８０に挿入されたロックピン１７０の基端部１７２は、底面１８２ａの先端側端部に係止される状態としてもよい。
【００９５】
このような状態のメモリカードコネクタに、カード挿入口１０２からカード２００を挿入して押し込む。
【００９６】
すると、カード２００の端部によって、収容部１０４内に存在するロック爪部１５５の開口側の端面が挿入方向に押圧され、スライダ１５０自体が収容部１０４と逆側に水平方向に揺動する。これによりロック爪部１５５は、収容部１０４に挿入されるカード２００の側面を摺動しつつ、カード２００から離間する方向に変位する。
【００９７】
さらに、カード２００が挿入されると、カード２００の側面を摺動するロック爪部１５５は、カード２００の側面の突起部２３０の外面を摺動して切欠部２２０に入り込むことで係合し、カード２００自体を挿抜自在なハーフロック状態で保持する（図１参照）。
【００９８】
図１に示すメモリカードコネクタの状態から、コイルバネ１６０の付勢力に抗して、カード２００を図中矢印Ａの方向に更に挿入すると、スライダ１５０は、ロック爪部１５５を切欠部２２０に係合させた状態のまま、スリット１１７にガイドされて挿入方向に移動する。スライダ１５０は、カード２００の移動に追従して、コネクタの後端側に向かって移動し、下面の凹部（図示省略）がハートカム溝底面１８２ａに沿った突条のレール１１８（図２参照）に外嵌し、当該レールに沿って移動する。
【００９９】
このとき、ロックピン１７０の基端部１７２（折り曲げ軸）は、ハートカム溝部１８０内の底面上を往方向（底面１８２ａからスロープ１８２ｂ、底面１８２ｃを経て底面１８２ｄへ至る方向）に移動する。
【０１００】
スライダ１５０が奥側に挿入されると、ロックピン１７０の基端部１７２は、段差のある底面１８２ｃから底面１８２ｄに落とし込まれる。このため、ロックピン１７０の基端部１７２は、底面１８２ｃを経てスロープ１８２ｂに戻ることはできない。そして、カード２００の押し込み（挿入方向への押圧）を止めると、ロックピン１７０の基端部１７２は、コイルスプリングの付勢力によって、カード挿入口側に押し戻されて、底面１８２ｅに移動して、Ｖ字溝３４に掛止される。これにより、スライダ１５０は、コイルスプリングの付勢力による抜脱方向への移動を規制され、カード２００の装着位置に固定される。すなわち、カード２００は装着状態となる。
【０１０１】
図１１は、本発明の一実施の形態に係るメモリカードコネクタのハウジングにおいてスライダがカード装着位置に位置した状態を示す平面図である。なお、図１１では便宜上コイルバネは省略している。
【０１０２】
図１１に示すようにＶ字溝３４にロックピン１７０の基端部１７２が係合している状態では、スライダ１５０は、コネクタ１００においてカード装着位置に固定される。
【０１０３】
このように図１１に示すカード装着位置にスライダ１５０が位置する際には、装着されたカードにおける先端側下面の電極が複数のコンタクト（カンチレバーコンタクト）１３０と接触し、カード２００のデータの読み書きを行うことができる。また、このとき、ロック爪部１５５は、カード２００の切欠部２２０に入り係合しているため、カード２００がコネクタから振動等により容易に抜け出すことがない。
【０１０４】
次に、カード２００を抜脱する際の動作について説明する。
【０１０５】
ロック状態を解除して、カード２００カードを取り外す場合には、カード２００をカード装着状態から、さらにコネクタの奥側に押し込む。
【０１０６】
このように、カード２００を装着した状態において、コイルスプリングの付勢力に抗して、カード２００を挿入方向に更に挿入すると、ロックピン１７０の基端部１７２（折り曲げ軸）は、図８及び図９に示すようにＶ字溝３４から解放されて、ハートカム溝部１８０において復路の軌跡を描くように移動する。つまり、ロックピン１７０の基端部１７２は、底面１８２ｄには戻れないため、底面１８２ｆへ移動してＶ字溝３４から離脱し、コイルスプリングの付勢力によって、スロープ１８２ｇ、底面１８２ｈを通り、底面１８２ａに戻る軌跡を描く。
【０１０７】
このとき、スライダ１５０も、コイルスプリングの付勢力により抜脱方向に移動し、当接面によるカード２００の突起に対する抜脱方向への押圧と、ロック爪部１５５による切欠部２２０側面に対する抜脱方向への押圧によって、カード２００自体を抜脱方向に、図１１に示す矢印Ｂ方向に移動させる。
【０１０８】
こうして、スライダ１５０は、コイルスプリングの付勢力によってカード固定位置からカード挿入口側の位置まで移動するが、その際、スライダ圧接片１２２により下方に押圧されているため、移動の加速が抑制されつつ移動することとなる。
【０１０９】
また、スライダ１５０には、爪押圧片１２８によってカード２００側への押圧力、つまり、抜脱方向に抗する力が加わっているため、更に、抜脱方向の移動の加速が抑制されている（図１参照）。
【０１１０】
さらに、挿入口側の位置においても、カード２００では、切欠部２２０にロック爪部１５５が係脱自在な状態で係合しているため、スライダ１５０移動の加速によって、カード２００の抜脱方向への飛び出しが防止されている。
【０１１１】
このように、本実施の形態のメモリカードコネクタでは、カード２００をイジェクトする際に、スライダ１５０のロック爪部１５５をカードの切欠部２２０へ爪押圧片１２８（板バネ）で付勢することによってカードの抜け止めとなる。
【０１１２】
また、メモリカード２００のイジェクト時において、ロック状態のカードを指先で弾いて（挿入方向に押して）ロック解除した際に、加速度を増して共にカード抜脱方向（排出方向）に移動するスライダ１５０とメモリカード２００の勢いを、爪押圧片１２８と、スライダ１５０自体を下方に付勢するスライダ圧接片１２２とによって抑制する。これにより、コネクタから排出されるメモリカード２００を直接押圧することがないため、カード２００自体の押圧痕を残すことなく当該カード２００の飛び出しを防止することができる。
【０１１３】
また、当該メモリカードコネクタにおけるロック機構部１４０は、ロック爪部１５５を有するスライダ１５０と、コイルスプリング及びロックピン１７０を、ハウジング１１０の底板部１１２にける所定の位置に配置して組み立てられている。これにより、従来のロック機構と比較して構成部品が少なく、小型化を容易に行うことができる。
【０１１４】
このように本実施の形態によれば、収容部１０４に収容されたカード２００を抜脱する際には、カード２００を挿入方向に押して、Ｖ字溝３４からロックピン１７０の基端部１７２を外す。これにより、スライダ１５０は、コイルバネ１６０の付勢力によってカード挿入口１０２側の位置に向かって抜脱方向に移動する。このように抜脱方向に移動するスライダ１５０は、スライダ圧接片１２２及び爪押圧片１２８によって移動方向と交差する方向、ここでは直交する方向（スライダ１５０に対して水平方向と垂直方向）に直接押圧されているため、その移動力が抑制されたものとなる。
【０１１５】
これにより、メモリカード２００に挿抜痕を付けることなく挿脱できるとともに、特にカード２００を抜脱する際に、コイルバネ１６０の付勢力によるカード２００の飛び出しを防止することができ、コネクタ１００自体を簡易な構成で容易に小型化できる。
【０１１６】
本発明に係るメモリカードコネクタは上記各実施の形態に限定されず、種々変更して実施することが可能である。なお、上記本発明は、本発明の精神を逸脱しない限り、種々の改変をなすことができ、そして本発明が該改変させたものに及ぶことは当然である。
【産業上の利用可能性】
【０１１７】
本発明に係るメモリカードコネクタは、メモリカードを、挿抜痕を付けることなく挿脱できるとともに、抜脱の際の飛び出しを防止することができ、簡易な構成で容易に小型化を図ることできる効果を有し、フラッシュメモリチップ程度の極小なメモリカードを装着するメモリカードコネクタとして有用である。
【図面の簡単な説明】
【０１１８】
【図１】本発明の一実施の形態に係るメモリカードコネクタの構成を示す斜視外観図
【図２】本発明の一実施の形態に係るメモリカードコネクタにおいてシールドカバーを外した状態のハウジングの平面図
【図３】図２に示すハウジングの右側面図
【図４】図２に示すハウジングの左側面図
【図５】図２に示すハウジングの背面図
【図６】図２に示すハウジングにおいて、コイルバネを外した状態のハウジングの平面図
【図７】図６に示すハウジングの底面図
【図８】ハートカム溝部を説明するための図であり、ハートカム部を後方からみた部分拡大斜視図
【図９】図８に示すハートカム溝部における段階的な斜面及び段部間のメモリカードコネクタの垂直方向における高さ関係を示す図
【図１０】本実施の形態に係るメモリカードコネクタのシールドカバーの斜視図
【図１１】同メモリカードコネクタのハウジングにおいてスライダがカード装着位置に位置した状態を示す平面図
【符号の説明】
【０１１９】
１００  メモリカードコネクタ
１０２  カード挿入口
１０４  収容部
１１０  ハウジング
１１２  底板部
１１３  案内側壁部
１１４  側壁部
１１５  後端壁部
１１７  スリット
１２０  シールドカバー
１２１  シールドカバーの上面
１２２  スライダ圧接片
１２４、１２６  ピン圧接片
１２８  爪押圧片
１２９  折曲片
１３０  コンタクト
１４０  ロック機構部
１５０  スライダ
１５５  ロック爪部
１６０  コイルバネ
１７０  ロックピン
１７２  基端部
１７４  先端部
１８０  ハートカム溝部
２００  メモリカード
２２０  切欠部
２３０  突起部
【図１】
2010056038.tif 000003
【図２】
2010056038.tif 000004
【図３】
2010056038.tif 000005
【図４】
2010056038.tif 000006
【図５】
2010056038.tif 000007
【図６】
2010056038.tif 000008
【図７】
2010056038.tif 000009
【図８】
2010056038.tif 000010
【図９】
2010056038.tif 000011
【図１０】
2010056038.tif 000012
【図１１】
2010056038.tif 000013